(57)【要約】【課題】ブラウザ起動時にユーザの好みに応じて、自動的に複数のホームページを表示すること。【解決手段】補助記憶部１１０には、閲覧プログラム１０２の起動時に表示するホームページのアドレス２０５を複数個登録しておく。コンピュータ部１０１は、ユーザの操作により閲覧プログラム１０２が起動される毎に、登録した複数個のホームページから１個のホームページ２０４を選択して表示させる。また補助記憶部１１０には、複数個のホームページのアドレスとともに、各ホームページ毎に表示する頻度である出現率を登録しておき、コンピュータ部１０１は、閲覧プログラムが起動される毎に、登録した複数個のホームページから出現率に従い表示するホームページを選択する。【選択図】図２
2009110355.tif 000002
【特許請求の範囲】
【請求項１】
インターネットの閲覧機能を有するホームページ表示装置において、
インターネットと接続して情報を取得するインターフェースと、
取得した情報を表示する表示部と、
閲覧プログラムに従い閲覧先を指定して取得した情報を上記表示部に表示させるコンピュータ部と、
閲覧プログラムを起動した時に表示するホームページのアドレスを記憶する補助記憶部と、
ユーザの操作を受付ける入力部とを備え、
上記補助記憶部には、起動時に表示するホームページのアドレスを複数個登録しておき、
上記コンピュータ部は、ユーザの操作により閲覧プログラムが起動される毎に、上記登録した複数個のホームページから１個のホームページを選択して表示させることを特徴とするホームページ表示装置。
【請求項２】
請求項１に記載のホームページ表示装置において、
前記コンピュータ部は、閲覧プログラムが起動される毎に、前記登録した複数個のホームページから１個のホームページを巡回的に、あるいはランダムに選択することを特徴とするホームページ表示装置。
【請求項３】
請求項１に記載のホームページ表示装置において、
前記補助記憶部には、複数個のホームページのアドレスとともに、各ホームページ毎に表示する頻度である出現率を登録しておき、
前記コンピュータ部は、閲覧プログラムが起動される毎に、前記登録した複数個のホームページから上記出現率に従い表示するホームページを選択することを特徴とするホームページ表示装置。
【請求項４】
請求項３に記載のホームページ表示装置において、
前記表示部にホームページ登録画面を表示し、前記各ホームページ毎の出現率をスライドボタンで調整して登録することを特徴とするホームページ表示装置。
【請求項５】
請求項１に記載のホームページ表示装置において、
前記コンピュータ部は、ユーザによる訪問回数の多い閲覧先を前記起動時に表示するホームページとして前記補助記憶部に登録することを特徴とするホームページ表示装置。
【請求項６】
インターネットを閲覧する際のホームページ表示方法において、
閲覧プログラムを起動した時に表示するホームページのアドレスを複数個登録しておき、
ユーザの操作により閲覧プログラムが起動される毎に、上記登録した複数個のホームページから１個のホームページを選択し、
インターネットと接続して該選択したホームページの情報を取得して表示することを特徴とするホームページ表示方法。
【請求項７】
請求項６に記載のホームページ表示方法において、
閲覧プログラムが起動される毎に、前記登録した複数個のホームページから１個のホームページを巡回的に、あるいはランダムに選択することを特徴とするホームページ表示方法。
【請求項８】
請求項６に記載のホームページ表示方法において、
前記複数個のホームページとともに、各ホームページ毎に表示する頻度である出現率を登録しておき、
閲覧プログラムが起動される毎に、前記登録した複数個のホームページから上記出現率に従い表示するホームページを選択することを特徴とするホームページ表示方法。
【請求項９】
請求項８に記載のホームページ表示方法において、
前記ホームページを登録する際、各ホームページ毎の出現率をスライドボタンで調整して登録することを特徴とするホームページ表示方法。
【請求項１０】
請求項６に記載のホームページ表示方法において、
前記起動時に表示するホームページを登録する際、ユーザによる訪問回数の多い閲覧先を登録することを特徴とするホームページ表示方法。
【発明の詳細な説明】
【技術分野】
【０００１】
本発明は、インターネット閲覧機能を有するホームページ表示装置及びホームページ表示方法に関するものである。
【背景技術】
【０００２】
ユーザは日々新しい情報を入手するために、パソコンなどに備わるインターネット閲覧機能を利用している。この時、インターネット閲覧プログラムを立ち上げたときに開かれるＷｅｂページ（以下、ホームページ）を登録しておくことで、毎回同一のホームページが表示される。また、複数のホームページから所望のホームページを選択して表示するために、例えば次の技術が提案されている。
【０００３】
特許文献１には、複数のサーチエンジンを同時検索する技術が開示される。まず検索キーワードに関する情報を複数の検索サイトからタイトル情報として読み出し、１つのブラウザに２個〜８個までの検索エンジンを表示する。各検索エンジンには検索キーワードに関係するチェックボックス付きタイトルリストが表示されている。次に、ユーザは、知りたいタイトルリストのチェックボックスにチェックをする。最後に、チェックをしたホームページのデータのみを圧縮してダウンロードすることにより、複数のサーチエンジンの同時検索を可能とする。
【０００４】
特許文献２には、ブックマークフォルダを職場用フォルダや自宅用フォルダ等、複数切り替えて利用する技術が開示される。職場用のブックマークフォルダをアクティブにすると、ホームページが職場用に切り替わり、自宅用のブックマークフォルダをアクティブにすると、ホームページが自宅用に切り替わる。これにより、１台のパソコンで、ホームページのブックマーク及びホームページを場合に応じて使い分けることができる。
【０００５】
【特許文献１】特開平１０−２０７８９８号公報
【特許文献２】特開平１１−２６５３３５号公報
【発明の開示】
【発明が解決しようとする課題】
【０００６】
従来は、閲覧プログラムを立ち上げる度に単一のホームページの情報が表示されるので、複数のＷｅｂページ情報を偏りなく閲覧することが難しかった。すなわち、ユーザは、１つのホームページだけでなく、複数の興味のあるサイトから情報を取得したい場合がある。その場合、ホームページ以外のサイトは、ブックマークや履歴等からアクセスせねばならず、作業が煩わしく不便であった。
【０００７】
上記特許文献１に記載の技術では、複数のホームページを検索可能であるが、検索キーワードに関する情報として、タイトル情報しか得られないため、画像など視覚的な情報を元に判断することはできない。また、タイトル情報のみから、ユーザの知りたい情報が必ずしも得られるとは限らない。また、特許文献２に記載の技術では、いちいちブックマークフォルダを切り替えなければホームページを表示できない。ブックマークの数が多くなればなるほど目的のホームページを見つけにくくなってしまい、ブックマークを開く速度も遅くなってしまう。
【０００８】
本発明の目的は、ブラウザ起動時にユーザの好みに応じて、自動的に複数のホームページを表示することができるホームページ表示装置及びホームページ表示方法を提供することである。
【課題を解決するための手段】
【０００９】
本発明のホームページ表示装置は、インターネットと接続して情報を取得するインターフェースと、取得した情報を表示する表示部と、閲覧プログラムに従い閲覧先を指定して取得した情報を表示部に表示させるコンピュータ部と、閲覧プログラムを起動した時に表示するホームページのアドレスを記憶する補助記憶部と、ユーザの操作を受付ける入力部とを備え、補助記憶部には、起動時に表示するホームページのアドレスを複数個登録しておき、コンピュータ部は、ユーザの操作により閲覧プログラムが起動される毎に、登録した複数個のホームページから１個のホームページを選択して表示させる。
【００１０】
ここに前記補助記憶部には、複数個のホームページのアドレスとともに、各ホームページ毎に表示する頻度である出現率を登録しておき、前記コンピュータ部は、閲覧プログラムが起動される毎に、登録した複数個のホームページから出現率に従い表示するホームページを選択する。
【００１１】
ここに前記コンピュータ部は、ユーザによる訪問回数の多い閲覧先を起動時に表示するホームページとして補助記憶部に登録する。
【００１２】
また本発明のホームページ表示方法は、閲覧プログラムを起動した時に表示するホームページのアドレスを複数個登録しておき、ユーザの操作により閲覧プログラムが起動される毎に、登録した複数個のホームページから１個のホームページを選択し、インターネットと接続して選択したホームページの情報を取得して表示する。
【発明の効果】
【００１３】
本発明によれば、ユーザの所望する複数のホームページを自動的に表示することができ、使い勝手が向上する。
【発明を実施するための最良の形態】
【００１４】
図１は、本発明によるホームページ表示装置の一実施例を示す構成図である。ホームページ表示装置はインターネット閲覧機能を備え、本実施例では、パーソナルコンピュータに搭載した場合を示す。
【００１５】
全体構成は、コンピュータ部１０１には、インターネット閲覧機能を実行するブラウザアプリケーション（閲覧プログラム）１０２、ドライバ１０３、インターフェース・ハードウェア１０４を含む。インターフェース・ハードウェア１０４には、表示部１０５、マウス１０６やキーボード１０７などのユーザの操作を受付ける入力部１０８、インターネット１０９、補助記憶部１１０などが接続され、インターネット１０９から取得した各種情報を表示部１０５にて閲覧表示する。
【００１６】
入力部１０８は、上記以外にも、リモコン、ジョイスティック、ゲームコントローラー、タッチパッド、ペンタブレット、データグラブ等が使用可能である。表示部１０５には、液晶モニタ、ＰＤＰ等の各種ディスプレイが可能である。
【００１７】
本実施例の装置におけるホームページ閲覧表示の動作を説明する。ユーザは、入力部１０８から複数のホームページのアドレス（以下ＵＲＬ：Ｕｎｉｆｏｒｍ  Ｒｅｓｏｕｒｃｅ  Ｌｏｃａｔｏｒ）とそれらの優先度（出現順位）を登録する。登録したデータは、それぞれ補助記憶部１１０に記憶される。入力部１０８を操作しブラウザアプリケーション１０２を最初に起動すると、補助記憶部１１０に記憶されている出現順位１番目のＵＲＬを読み出し、インターネット１０９を通じてＵＲＬ先の情報（映像、音声、データなど）を取得し、表示部１０５にそのホームページを表示する。ブラウザを一旦閉じると、出現順位２番目に登録されているＵＲＬが次回ブラウザを起動した時に表示されるホームページとして上書き保存される。よって、次回ユーザがブラウザを開いた時は、インターネット１０９を通じて出現順位２番目のＵＲＬ先の情報を取得し、そのホームページを表示する。このようにして、登録した複数のＵＲＬに対応するホームページをその出現順位の順に表示する。そして、最下位のＵＲＬの表示を終了したら最上位１番目のＵＲＬに戻り、これを巡回的に繰り返す。
【００１８】
図２は、図１のブラウザアプリケーション（閲覧プログラム）の機能構成を示す図である。ブラウザアプリケーション１０２は、ブラウザ２０１と、ホームページ読出部２０２と、起動時ＵＲＬ選択部２０３とを有する。補助記憶部１１０は、起動時に表示するホームページのＵＲＬ２０４と、登録済の複数のホームページのＵＲＬ２０５を格納する。
【００１９】
ブラウザ２０１を開いた時、ホームページ読出部２０２は補助記憶部１１０から起動時ホームページのＵＲＬ２０４を読み出し、ブラウザ２０１にてそのホームページの表示を行う。起動時ホームページの表示を終了すると、ブラウザ２０１から起動時ＵＲＬ選択部２０３へ終了通知を送る。起動時ＵＲＬ選択部２０３は、補助記憶部１１０に登録してある複数ホームページのＵＲＬ２０５から次のＵＲＬを選択し、起動時ホームページのＵＲＬ２０４を書き換える。次回ブラウザ２０１を起動すると、書き換えた起動時ホームページのＵＲＬ２０４を読み出して対応するホームページを表示する。これを繰り返して、登録済の複数のホームページを自動的に巡回的に表示することができる。
【００２０】
これによりユーザは、１つの偏ったホームページだけを閲覧するのではなく、興味のあるサイトの情報を一様に閲覧することができる。
【００２１】
ここで、複数のホームページを登録する際、各ホームページを表示する出現頻度（出現率）を指定することもできる。その場合には起動時ＵＲＬ選択部２０３は、例えば乱数を用いて出現頻度に応じたＵＲＬを選択することができる。まず、各ＵＲＬごとに出現頻度に応じたパラメータ値を割り当てる。例えば出現頻度が３０％のＵＲＬに対してはパラメータ値００〜２９を、出現頻度が２０％のＵＲＬに対してはパラメータ値３０〜４９というように割り当てる。起動時ＵＲＬ選択部２０３は００〜９９の範囲の擬似乱数を発生し、発生した乱数値をパラメータ値に含むＵＲＬを選択すればよい。
【００２２】
これによりユーザは、ブラウザ起動時に自分の好きな頻度で複数のホームページを閲覧することができる。
【００２３】
図３は、ホームページの表示画面の一例を示す図である。ここでは２つのホームページ１，２を登録し、ブラウザを開く度に（ａ）（ｂ）（ｃ）の順に交互に切り替えて表示する場合を示す。３０１、３０３、３０５は、ブラウザを開いた時に表示されるホームページ、３０２、３０４、３０６は「閉じる」ボタンである。
【００２４】
パソコンを起動してからブラウザを起動すると、初めに１番目に登録しているホームページ「ＰＣニュース．ｃｏｍ」３０１が表示される。次に、「閉じる」ボタン３０２で一旦ブラウザを閉じ、再びブラウザを起動すると、２番目に登録しているホームページ２「家電の情報サイト」３０３が表示される。さらに、「閉じる」ボタン３０４で再びブラウザを閉じ、再度ブラウザを起動すると、ホームページ３０５（３０１と同じ「ＰＣニュース．ｃｏｍ」）が表示される。
【００２５】
これにより、登録した複数のホームページから偏りなく情報を得ることができる。この切り替えは自動的になされるので、ユーザは特に操作する必要はない。
【００２６】
図４は、ホームページの登録画面の一例を示す図である。（ａ）の画面で、４０１は「ＰＣニュース．ｃｏｍ」を表示中のブラウザ、４０２はホームページ登録・表示アイコン、４０３は現在のＷｅｂページをホームページに登録するためのダイアログ、４０４はアドレスバー、４０５はマウスポインタ、４０６はホームページを登録するためのボタンである。（ｂ）の画面で、４０７はホームページの追加ダイアログ、４０８は「閉じる」ボタン、４０９はホームページ登録メニューである。（ｃ）の画面で、４１０は出現率の設定ダイアログ、４１１はホームページとして登録しているＵＲＬ、４１２は各ホームページの出現率を入力するテキストフォーム、４１３は「完了」ボタン、４１４は「取消」ボタンである。
【００２７】
（ａ）の画面において、ユーザが、現在開いている「ＰＣニュース．ｃｏｍ」というサイトをホームページ２に追加する手順を説明する。この場合、アドレスバー４０４のＵＲＬ隣のアイコンをドラッグして、ホームページ登録・表示アイコン４０２にドロップすると、ホームページ登録ダイアログ４０３が現われる。ダイアログ４０３のホームページへ登録するためのボタン４０６を押すと、（ｂ）の画面が表示される。ここでは、登録可能なホームページのうち、何番のホームページに登録するかを指定する、ホームページの追加ダイアログ４０７が表示される。このダイアログ４０７のホームページ登録メニュー４０９から「ホームページ２に追加」を選択すると、（ｃ）の画面が表示される。ここでは、設定ダイアログ４１０に、今回の登録を含め現在登録されているホームページのＵＲＬリスト４１１とその出現率４１２が表示される。そして、出現率４１２のテキストフォームに出現率を入力し、完了ボタン４１３を押して登録を完了する。
【００２８】
このようにして、ユーザは新たなホームページを追加登録するとともに、登録した各ホームページを表示するときの出現率を指定することができる。
【００２９】
ここで、図４のホームページの登録画面は他の方法も可能であり、以下図５〜図７にて説明する。
【００３０】
図５は、ホームページの登録画面の他の例を示す図である。５０１はホームページに登録したいＷｅｂページを開いているブラウザ、５０２はホームページ登録・表示アイコン、５０３は「閉じる」ボタン、５０４は現在開いているＵＲＬを表示するアドレスバー、５０５は登録先としてホームページ１，２，３のいずれかを選択するサブメニュー、５０６はマウスポインタである。
【００３１】
この例では、現在開いている「ＰＣニュース．ｃｏｍ」というサイトをホームページ１に追加登録する。その場合、前記図４におけるダイアログ４０３ではなく、サブメニュー５０５を表示する。アドレスバー５０４の隣のアイコンをドラッグして、５０２のホームページ登録・表示アイコンにドロップすると、サブメニュー５０５が表示される。この時、マウスポインタ５０６を「ホームページ１に追加」に合わせ、左クリックを外すと登録完了となる。既にホームページ１に登録済みで上書き登録となる場合は、上書きして良いかどうかの確認ダイアログを表示する。
【００３２】
これにより、ダイアログという別ウィンドウを開くことなくサブメニューからホームページを登録することができる。
【００３３】
図６は、ホームページの登録画面の他の例を示す図である。（ａ）の画面で、６０１はホームページに登録したいＷｅｂページを開いているブラウザ、６０２はホームページ登録・表示アイコン、６０３はホームページ１，２，３のいずれかを選択するサブメニューであってそのホームページが新規登録か既登録であるかを表示しており、６０４は現在開いているＵＲＬのアドレスバー、６０５はマウスポインタである。（ｂ）の画面で、６０６はホームページに上書きするか否かを確認するダイアログ、６０７は上書きを承諾する「はい」ボタン、６０８は承諾しない「いいえ」ボタンである。
【００３４】
この例では、（ａ）の画面で現在開いている「ＰＣニュース．ｃｏｍ」というサイトをホームページ２に上書き追加する。その場合、アドレスバー６０４のＵＲＬ隣のアイコンをドラッグして、６０２のホームページ登録・表示アイコンにドロップすると、サブメニュー６０３が表示される。この時、マウスポインタ６０５を「ホームページ２に上書追加」に合わせ、左クリックを外すと（ｂ）の画面が表示される。この場合上書き登録となるので、上書きして良いかどうかの確認ダイアログ６０６が表示される。「はい」ボタン６０７をクリックすると、上書き登録完了となる。「いいえ」ボタン６０８をクリックすると、上書き登録はキャンセルされる。
【００３５】
これにより、どのホームページ登録場所にどのＵＲＬが登録されているのかがひと目で分かる。よって、追加するサイトがホームページ登録先への新規の追加となるのか、あるいは既に他のＷｅｂページが登録されており上書き追加になるのかを確認することができる。
【００３６】
図７は、ホームページの登録画面の他の例を示す図である。（ａ）の画面で、７０１はホームページに登録したいＷｅｂページを開いているブラウザ、７０２はホームページ登録アイコン１、７０３はホームページ登録アイコン２、７０４はドラッグ＆ドロップマーク、７０５は現在開いているＵＲＬのアドレスバー、７０６はマウスポインタである。（ｂ）の画面で、７０７はホームページ２へ登録する確認ダイアログ、７０８は登録を承諾する「はい」ボタン、７０９は承諾しない「いいえ」ボタンである。
【００３７】
この例では、（ａ）の画面で現在開いているブラウザ７０１に表示されているＷｅｂページを、ホームページ登録アイコン２の７０３に登録する。現在開いているアドレスバー７０５のＵＲＬの隣に表示されているアイコンにマウスポインタ７０６を乗せ、ドラッグ＆ドロップマーク７０４をホームページ登録アイコン２の７０３にドラッグ＆ドロップする。すると、（ｂ）の画面の確認ダイアログ７０７が表示され、ホームページ２に登録してよいかどうかの確認を行う。登録する場合は「はい」ボタン７０８を選ぶ。登録しない場合は「いいえ」ボタン７０９を選ぶ。その際、既に他のホームページが登録されていた場合は、前記図６のダイアログ６０６を表示し上書き登録であることを確認する。
【００３８】
これにより、何番のホームページに登録するのか視覚的に確認することができ、登録したホームページのボタンを視覚的に見分け、起動することが可能となる。
【００３９】
次に、前記図４(ｃ)におけるホームページ出現率の設定は他の方法も可能であり、以下図８〜図１１にて説明する。
【００４０】
図８は、ホームページの出現率の設定の他の例を示す図である。８０１は登録したホームページの出現モードの設定ダイアログ、８０２は登録したホームページを交互に出現させるラジオボタン、８０３は、登録したホームページをランダムに出現させるラジオボタン、８０４は出現率を手動で設定するラジオボタン、８０５は「閉じる」ボタンである。
【００４１】
出現モードとして交互に出現させるラジオボタン８０１を選択した場合は、登録された各ホームページは交互に（または巡回的に）表示される。すなわち、２個のホームページ１，２を登録した場合は、ブラウザを起動する毎に、ホームページ１とホームページ２が交互に表示される。３個のホームページ１，２，３を登録していた場合は、ホームページ１→ホームページ２→ホームページ３→ホームページ１…の順に巡回的に表示される。
【００４２】
ランダムに表示させるラジオボタン８０３を選択した場合は、ホームページを登録した番号に関係なく、乱数等によりランダムに選択されて表示される。
【００４３】
出現率を手動で設定するラジオボタン８０４を選択した場合、各ホームページはそれぞれ指定した頻度で表示される。
【００４４】
これによればユーザは、登録した各ホームページを所望の出現モードを設定して表示させることができる。この切り替えはワンクリックで設定可能である。
【００４５】
図９は、ホームページの出現率の設定の他の例を示す図である。９０１は設定ダイアログ、９０２は登録しているホームページのＵＲＬ、９０３は出現率を入力するテキストボックス、９０４は出現率の設定リストである。
【００４６】
ユーザが、設定ダイアログ９０１でＵＲＬを手動で指定する場合、ホームページのＵＲＬを９０２にコピー＆ペーストすることで、ホームページを設定することができる。出現率については、設定リスト９０４から出現率の数値（％）を選択するか、テキストボックス９０３に直接数値を入力すれば良い。
【００４７】
これにより、各ホームページのＵＲＬ及び出現率の設定を、マウス操作及び手入力で行うことができる。
【００４８】
図１０は、ホームページの出現率の設定の他の例を示す図である。１００１は設定ダイアログ、１００２は「閉じる」ボタン、１００３は、ホームページに登録しているＵＲＬ、１００４はホームページのＵＲＬが未登録のテキストボックス、１００５は出現率を入力する設定バーである。
【００４９】
ユーザが、設定ダイアログ１００１でＵＲＬを手動で指定する場合、テキストボックス１００４にＵＲＬを手入力、若しくはコピー＆ペーストすることで、ホームページを設定することができる。出現率については、設定バー１００５から選択すれば良い。設定バー１００５の値は１ずつ、５ずつ、または１０ずつ増減することができる。
【００５０】
これにより、各ホームページの出現率の設定を、マウス操作及び手入力で行うことが可能となる。
【００５１】
図１１は、ホームページの出現率の設定の他の例を示す図である。１１０１は設定ダイアログ、１１０２は「閉じる」ボタン、１１０３は出現率を変えるスライドボタン、１１０４はマウスポインタ、１１０５は登録しているホームページの番号、１１０６は登録しているホームページのＵＲＬである。
【００５２】
ユーザが、例えばホームページ１の出現率をホームページ２の出現率よりも大きくしたい場合、スライドボタン１１０３を右方向へスライドし、ホームページ１の長さをホームページ２の長さよりも大きくすれば良い。
【００５３】
これにより、出現率の設定を数値入力によらず、スライドボタンを左右にずらすだけで視覚的に出現率を設定することができる。数値入力の場合には、出現率のトータル値が１００％となるように各出現値を調整しなければならないが、スライドボタン方式ではトータル値が常に１００％となるので設定が簡単である。
【００５４】
さらに図１２は、ホームページを自動登録する登録画面の一例を示す図である。１２０１は「閉じる」ボタン、１２０２は訪問回数の多いＷｅｂページを順にホームページとして自動登録するラジオボタン、１２０３は上位何番目までホームページに登録するかを設定するテキストボックス、１２０４は訪問回数が上位から指定した順位までのＵＲＬを示すランキングボックスである。なお、１２０５はホームページの手動設定を行うためのラジオボタンであり、これにより所望のサイトを所望の出現率で設定することもできる。
【００５５】
この例では、自動登録ボタン１２０２を選択すると、ユーザが訪問（検索）したＷｅｂページをカウントし、訪問回数の多いＷｅｂページを上位から所定数（ここでは３個）だけホームページとして自動登録する。パソコンを起動して最初にブラウザを立ち上げると、訪問回数の最も多いホームページ１が表示される。「閉じる」ボタン１２０１で一旦ブラウザを閉じブラウザを再起動すると、次に訪問回数の多いホームページ２が表示される。このように、ブラウザを起動する毎に、自動登録されているホームページ１，２，３が巡回的に表示される。
【００５６】
訪問回数の他にも、ユーザが入力したキーワードの多いＷｅｂページや、ユーザのパーソナライズ情報に近いＷｅｂページをランキング化し、ホームページとして自動登録することもできる。初期段階では、デフォルトのＷｅｂページをホームページに設定しておき、ユーザの使用回数が増え、所定数の情報が集まった段階で、ランキング情報を自動的に書き換えていくのが良い。
【００５７】
この方法によれば、訪問回数の多い順にホームページのランキングが入れ替わるため、ユーザの嗜好、若しくはユーザに必要なサイトを自動的に表示することができる。また、ユーザの嗜好が変わってきたとしても、それに応じて自動的にホームページが更新される。
【００５８】
なお、訪問回数に従い自動登録と自動表示を繰り返した場合、ブラウザの使用条件によっては表示するホームページに偏りが発生する場合がある。そのような場合には、登録済みのホームページはカウントしないとか、ユーザがクリックして検索したサイトのみをカウントしてランキング作成するとか、ランキングデータからさらにユーザが所望のサイトを選択するなどの修正を加えることで、偏りを解消できる。
【００５９】
図１３は、登録したホームページを表示する方法を示す図で、ブラウザのメニューバーから開く場合である。１３０１は「閉じる」ボタン、１３０２はブラウザ、１３０３は複数のホームページから希望のホームページを選択するメニューを開くボタン、１３０４は複数登録しているホームページの中から１つのホームページを選択するメニュー、１３０５はマウスポインタ、１３０６は複数の登録ホームページにアクセスするためのスクロールバー、１３０７は「ホームページ２を開く」メニューである。
【００６０】
この例では、ユーザは、ホームページのメニュー１３０４からホームページ２を選択して表示する。まず、メニューを開くボタン１３０３をマウスポインタ１３０５で押すと、選択メニュー１３０４が現われる。この中で「ホームページ２を開く」の１３０７を選択する。
【００６１】
これにより、別のウィンドウを新たに立ち上げなくても、メニューから希望のホームページを選択することが可能である。
【００６２】
以上の実施例によれば、ホームページ表示装置のブラウザを起動する度に、設定した複数のサイトを一様に、または設定した頻度で自動的に表示することができ、ユーザは多数のサイトの情報を閲覧することができる。
【００６３】
本発明のホームページ表示装置は、上記実施例のパーソナルコンピュータだけでなく、テレビ、レコーダー、カーナビ、ゲーム機、携帯電話等の各種情報機器に広く搭載可能である。
【図面の簡単な説明】
【００６４】
【図１】本発明によるホームページ表示装置の一実施例を示す構成図。
【図２】図１のブラウザアプリケーションの機能構成を示す図。
【図３】ホームページの表示画面の一例を示す図。
【図４】ホームページの登録画面の一例を示す図。
【図５】ホームページの登録画面の他の例を示す図。
【図６】ホームページの登録画面の他の例を示す図。
【図７】ホームページの登録画面の他の例を示す図。
【図８】ホームページの出現率の設定の他の例を示す図。
【図９】ホームページの出現率の設定の他の例を示す図。
【図１０】ホームページの出現率の設定の他の例を示す図。
【図１１】ホームページの出現率の設定の他の例を示す図。
【図１２】ホームページを自動登録する登録画面の一例を示す図。
【図１３】登録したホームページを表示する方法を示す図。
【符号の説明】
【００６５】
１０１…コンピュータ部
１０２…ブラウザアプリケーション
１０３…ドライバ
１０４…インターフェース・ハードウェア
１０５…表示部
１０６…マウス
１０７…キーボード
１０８…入力部
１０９…インターネット
１１０…補助記憶部
２０１…ブラウザ
２０２…ホームページ読出部
２０３…起動時ＵＲＬ選択部
２０４…起動時に表示するホームページのＵＲＬ
２０５…登録済の複数ホームページのＵＲＬ
３０１，３０３，３０５…表示されるホームページ
４０２…ホームページ登録・表示アイコン
４０３…ホームページに登録するためのダイアログ
４０６…ホームページを登録するためのボタン
４０７…ホームページの追加ダイアログ
４０９…ホームページ登録メニュー
４１０…出現率の設定ダイアログ
４１２…出現率を入力するテキストフォーム
１２０２…自動登録用ラジオボタン
１２０４…訪問回数ランキングボックス。
【図１】
2009110355.tif 000003
【図２】
2009110355.tif 000004
【図３】
2009110355.tif 000005
【図４】
2009110355.tif 000006
【図５】
2009110355.tif 000007
【図６】
2009110355.tif 000008
【図７】
2009110355.tif 000009
【図８】
2009110355.tif 000010
【図９】
2009110355.tif 000011
【図１０】
2009110355.tif 000012
【図１１】
2009110355.tif 000013
【図１２】
2009110355.tif 000014
【図１３】
2009110355.tif 000015